(57)【要約】      （修正有）【課題】低コストで安全なスイッチギヤを提供する。【解決手段】主回路ユニット２０は、接地された主回路タンク２１と、主回路タンクの壁を貫通して主回路タンクに絶縁材を介して取り付けられ、ケーブル３に接続された第一絶縁端子６と、主回路タンクの壁を貫通して主回路タンクに絶縁材を介して取り付けられ、主母線４に接続された第二絶縁端子７と、第一絶縁端子６と第二絶縁端子７との間に、開閉可能に接続された真空バルブ２２とを有し、第一絶縁端子６の外周面と、第二絶縁端子７の外周面とはエポキシ系樹脂で覆われ、真空バルブ２２の固定接点２２ａと、固定接点と電気的に開閉可能な可動接点２２ｂと、可動接点に接続された絶縁ロッド２２ｃとを収納する真空バルブの絶縁支持ケース２２ｄは、エポキシ系樹脂からなる。【選択図】図１
0003216686.tif 000002
【実用新案登録請求の範囲】
【請求項１】
主母線から、ケーブルへの電力の供給を開閉する主回路ユニットを備えたスイッチギヤであって、
前記主回路ユニットは、接地された主回路タンクと、
前記主回路タンクの壁を貫通して前記主回路タンクに絶縁材を介して取り付けられ、前記ケーブルに接続された第一絶縁端子と、
主回路タンクの壁を貫通して前記主回路タンクに絶縁材を介して取り付けられ、前記主母線に接続された第二絶縁端子と、
前記第一絶縁端子と前記第二絶縁端子との間に、開閉可能に接続された真空バルブとを有し、
前記第一絶縁端子の外周面と、前記第二絶縁端子の外周面とはエポキシ系樹脂で覆われ、
前記真空バルブの固定接点と、前記固定接点と電気的に開閉可能な可動接点と、前記可動接点に接続された絶縁ロッドとを収納する前記真空バルブの絶縁支持ケースは、エポキシ系樹脂からなるスイッチギヤ。
【請求項２】
前記主回路タンクの上面及び下面に、換気口を備えた請求項１に記載のスイッチギヤ。
【請求項３】
前記主回路ユニットは、複数の前記真空バルブを備え、
複数の前記真空バルブは、前記主回路タンクから、個別に引き出し可能に設けられている請求項１又は請求項２に記載のスイッチギヤ。
【請求項４】
前記主回路タンク内において、
前記第一絶縁端子の第一端子接点と、
前記真空バルブの先端に設けられ、前記固定接点と電気的に接続された第一接点とが、接離可能な第一ジャンクションを構成し、
前記第二絶縁端子の第二端子接点と、
前記真空バルブの前記可動接点と電気的に接続された第二接点とが、接離可能な第二ジャンクションを構成する請求項３に記載のスイッチギヤ。
【考案の詳細な説明】
【技術分野】
【０００１】
この考案は、スイッチギヤに関するものである。
【背景技術】
【０００２】
従来、主母線に接続される主回路が、ＳＦ６(六フッ化硫黄)等の絶縁性を有するガスによって封止されている開閉装置として、非特許文献１に示すような開閉装置が提案されている。
【先行技術文献】
【非特許文献】
【０００３】
【非特許文献１】三菱電機株式会社  ２０１３年９月作成  三菱密閉型複合絶縁スイッチギヤ  １２／２４ｋＶ  ＨＳ−Ｘ−１  商品説明パンフレット  （Ｐ５、「構造」の欄）
【考案の概要】
【考案が解決しようとする課題】
【０００４】
非特許文献１の技術では、主母線に接続される主回路に、ドライエア、或いはＳＦ６ガスを充填し、主回路を収納するタンク（圧力容器）は接地されている。従って、現地の保守点検作業員が主回路にアクセスしても感電することはない。しかしながら、ドライガス、或いはＦＳ６ガスを封入するタンクとしては、気密溶接構造と、封入するガスの圧力に耐え得る強度が必要であり、高コストな装置となるという課題があった。
【０００５】
この考案は、上記のような課題を解決するためになされたものであり、低コストで安全なスイッチギヤを提供することを目的とする。
【課題を解決するための手段】
【０００６】
この考案に係るスイッチギヤは、
主母線から、ケーブルへの電力の供給を開閉する主回路ユニットを備えたスイッチギヤであって、
前記主回路ユニットは、接地された主回路タンクと、
前記主回路タンクの壁を貫通して前記主回路タンクに絶縁材を介して取り付けられ、前記ケーブルに接続された第一絶縁端子と、
主回路タンクの壁を貫通して前記主回路タンクに絶縁材を介して取り付けられ、前記主母線に接続された第二絶縁端子と、
前記第一絶縁端子と前記第二絶縁端子との間に、開閉可能に接続された真空バルブとを有し、
前記第一絶縁端子の外周面と、前記第二絶縁端子の外周面とはエポキシ系樹脂で覆われ、
前記真空バルブの固定接点と、前記固定接点と電気的に開閉可能な可動接点と、前記可動接点に接続された絶縁ロッドとを収納する前記真空バルブの絶縁支持ケースは、エポキシ系樹脂からなるものである。
【考案の効果】
【０００７】
この考案に係るスイッチギヤによれば、低コストで安全なスイッチギヤを提供することができる。
【図面の簡単な説明】
【０００８】
【図１】この考案の実施の形態１に係る、閉極状態にあるスイッチギヤの断面模式図である。
【図２】この考案の実施の形態１に係る、開極状態にあるスイッチギヤの断面模式図である。
【図３】この考案の実施の形態１に係る、閉極状態にあり、一方の真空バルブが、引き出された状態にあるスイッチギヤの断面模式図である。
【図４】この考案の実施の形態１に係るスイッチギヤの回路構成を示す図である。
【考案を実施するための形態】
【０００９】
実施の形態１．
以下、この考案の実施の形態１に係るスイッチギヤを図を用いて説明する。
図１は、閉極状態にあるスイッチギヤ１００の断面模式図である。
図１は、２つの真空バルブ２２が、主回路ユニット２０に収納され、主母線４から主回路ユニット２０を介してケーブル３に電力が供給されている状態を示している。すなわち、図１では、スイッチギヤ１００の主回路ユニット２０は、閉極している。
【００１０】
図２は、開極状態にあるスイッチギヤ１００の断面模式図である。
図２は、２つの真空バルブ２２のそれぞれの可動接点２２ｂが、それぞれの固定接点２２ａから、図２、左側に引き離されていて、主母線４からケーブル３への電力の供給は遮断されている状態を示している。すなわち、図２では、スイッチギヤ１００の主回路ユニット２０は開極している。
【００１１】
図３は、閉極状態にあり、一方の真空バルブ２２が、引き出された状態にあるスイッチギヤ１００の断面模式図である。
図３は、２つの真空バルブ２２のそれぞれの可動接点２２ｂが、それぞれの固定接点２２ａから、図２、左側に引き離されていて、主母線４からケーブル３への電力は遮断されており、一方の真空バルブ２２と真空バルブ駆動機構５とが、スイッチギヤ１００から引き出されている状態を示している。
図４は、スイッチギヤ１００の回路構成を示す図である。
【００１２】
図１に示すように、スイッチギヤ１００は、ケース１０と、開閉可能な扉１１とを備える。扉１１には、扉ハンドル１１ａが取り付けられている。
【００１３】
ケース１０は、図示しない外部の配電盤へと接続される２本のケーブル３を収納するケーブル室１０ａと、上記ケーブル３と電気的に接離可能に接続される主回路ユニット２０を収納する主室１０ｂと、主回路ユニット２０を制御する、図示しないマルチリレー（集中制御装置）を収納する制御室１０ｃとを内部に備える。ケーブル室１０ａは、扉１１側から見て一番奥に設けられており、その手前に主室１０ｂ、更に手前に制御室１０ｃがある。
【００１４】
主室１０ｂの中には、主回路ユニット２０が設けられている。主回路ユニット２０は、接地された主回路タンク２１と、主回路タンク２１に個別に引き出し可能に収納された２つの真空バルブ２２と、主回路タンク２１に絶縁物を介して取り付けられた第一絶縁端子６と、主回路タンク２１に絶縁物を介して取り付けられた第二絶縁端子７とからなる。
【００１５】
２つの真空バルブ２２は、天地が反転した状態で設置されているが構成は同じである。よって、符号は、少なくとも一方に付している。真空バルブ２２は、固定接点２２ａと、可動接点２２ｂと、絶縁ロッド２２ｃと、これらを収納するエポキシ系樹脂製の絶縁支持ケース２２ｄと、第一接点２２ｅと、気密式のベアリング２２ｆと、第二接点２２ｇとを備える。固定接点２２ａと第一接点２２ｅは、常に電気的に接続されており、可動接点２２ｂと第二接点２２ｇとも常に電気的に接続されている。可動接点２２ｂが固定接点２２ａに接触している状態では、第一接点２２ｅから第二接点２２ｇまでが電気的に接続される。
【００１６】
真空バルブ２２の先端に設けられた第一接点２２ｅと、第一絶縁端子６の第一端子接点６１とで第一ジャンクション１Ｊを構成する。よって、スイッチギヤ１００は、２つの第一ジャンクションを有する。
【００１７】
真空バルブ２２の第二接点２２ｇと、第二絶縁端子７の第二端子接点７１とで第二ジャンクション２Ｊを構成する。よって、スイッチギヤ１００は、２つの第二ジャンクション２Ｊを有する。第一ジャンクション１Ｊ及び第二ジャンクション２Ｊの各接点が接触している状態を閉状態、これらが離れている状態を開状態という。
【００１８】
第一絶縁端子６及び第二絶縁端子７は、主回路タンク２１の壁を貫通しており、主回路タンク２１の内側と外側から主回路タンク２１の壁を挟むように取り付けられている。第一絶縁端子６の外周面は、主回路タンク２１内に突出する第一端子接点６１と図示しないケーブル３との接続部とを除いてエポキシ系樹脂（絶縁材）で覆われている。また、第一絶縁端子６の主回路タンク２１の外側部分の外周面には、変流器３２が取り付けられている。また、ケーブル３の周囲には、零相変流器３３が取り付けられている。ケーブル３は、主回路タンク２１の外側で第一絶縁端子６に接続されている。
【００１９】
また、主母線４は、主回路タンク２１の外側で第二絶縁端子７に接続されている。第二絶縁端子７の外周面も、主回路タンク２１内に突出する第二端子接点７１と図示しない主母線４との接続部とを除いてを除いてエポキシ系樹脂で覆われている。
【００２０】
２つの真空バルブ２２が、完全に主回路タンク２１に挿入されている状態では、それぞれの第一ジャンクション１Ｊ及びそれぞれの第二ジャンクション２Ｊは、閉状態である。更に、図１に示すように、可動接点２２ｂが固定接点２２ａに接触している状態では、主母線４からケーブル３に電力が供給され、図２に示すように可動接点２２ｂが、固定接点２２ａから引き離された状態では、主母線４からケーブル３への電力は遮断される。
【００２１】
次に、真空バルブ２２が、図１に示す閉極状態から、図２に示す開極状態となる場合について説明する。真空バルブ２２が、閉状態から、開状態となる場合には、２つの場合がある。第一は、スイッチギヤを流れる電流の異常によって、自動的に主回路ユニット２０を流れる電流が遮断される場合である。第二は、スイッチギヤの点検整備時に、作業の安全を確保するために、点検整備員が操作して電力を遮断する場合である。
【００２２】
いずれの場合も、真空バルブに流れる電流を遮断するには、図１の閉極状態から、可動接点２２ｂと絶縁ロッド２２ｃとを、左側に移動させ、可動接点２２ｂを固定接点２２ａから引き離す必要がある。
【００２３】
真空バルブ２２の絶縁ロッド２２ｃは、気密式のベアリング２２ｆを介して、真空バルブ駆動機構５に接続されている。絶縁ロッド２２ｃは絶縁物で構成されているので、可動接点２２ｂから真空バルブ駆動機構５側に電流が流れることはない。
【００２４】
上記第一の場合において、図示しない集中制御装置は、上述の変流器３２、零相変流器３３から取得する計測値を監視し、計測値に異常がある場合は、真空バルブ駆動機構５を用いて、可動接点２２ｂを固定接点２２ａから引き離して主回路を遮断する。
【００２５】
また、上記第二の場合においては、まず、点検整備員は、集中制御装置を用いて真空バルブ駆動機構５により可動接点２２ｂを固定接点２２ａから引き離して主回路を遮断する。次に、真空バルブ２２と、その真空バルブ２２を駆動する真空バルブ駆動機構５をケース１０から引き出すことにより、第一ジャンクション１Ｊ及び第二ジャンクション２Ｊを開状態とする。
【００２６】
真空バルブ駆動機構５としては、電動バネ操作機構、電磁操作機構などを用いる。これにより、安全に主回路を遮断できる。
【００２７】
第一ジャンクション１Ｊ及び第二ジャンクション２Ｊは、点検整備時など、真空バルブ２２を個別にケース１０の外に引き出す時に、これらとケーブル３及び主母線４との接続を解除するために用いる。
【００２８】
第一ジャンクション１Ｊ、第二ジャンクション２Ｊが閉状態であり、真空バルブ２２が閉極している状態での回路経路は、主母線４→第二ジャンクション２Ｊ→真空バルブ２２の可動接点２２ｂ→固定接点２２ａ→第一ジャンクション１Ｊ→ケーブル３となる。
【００２９】
主回路タンク２１の上面及び下面には、ＪＩＳ規格（日本工業規格）のＩＰ２Ｘ相当（１１ｍｍ以下の、指が入らない程度）のスリットであって、主回路タンク２１内の空気を換気するための換気口２５ａ、２５ｂが設けられており、大電流によって主回路タンク２１内に発生する熱を、上側の換気口２５ａから自然排出させることにより、下側の換気口２５ｂから低温の空気を主回路タンク２１内に自然吸入する。
【００３０】
このように、主回路タンク２１の上面と下面に換気口２５ａ、２５ｂを設け、スイッチギヤ１００の耐熱容量を高める構成とすることにより、主回路を流れる大電流によって、主回路タンク２１内の温度が上昇した場合であってもスイッチギヤ１００の安定した運用を実現できる。
【００３１】
主回路タンク２１内に収納されている真空バルブ２２の絶縁支持ケース２２ｄと、第一絶縁端子６、第二絶縁端子７等の絶縁支持物は、全てエポキシ樹脂（寿命９０年）を使用している。これにより、ポリエステル・フェノール樹脂（寿命３０年）と比較して顕著な耐久性を有する。すなわち、ＳＯｘ  ＮＯｘ暴露等に対する耐環境性能が強化された絶縁性能を有する。
【００３２】
尚、この考案は、その考案の範囲内において、各実施の形態を自由に組み合わせたり、各実施の形態を適宜、変形、省略したりすることが可能である。
【符号の説明】
【００３３】
１００  スイッチギヤ、１Ｊ  第一ジャンクション、２Ｊ  第二ジャンクション、
１０  ケース、１０ａ  ケーブル室、１０ｂ  主室、１０ｃ  制御室、１１  扉
１１ａ  扉ハンドル、２０  主回路ユニット、２１  主回路タンク、２２  真空バルブ、２２ａ  固定接点、２２ｂ  可動接点、２２ｃ  絶縁ロッド、２２ｄ  絶縁支持ケース、２２ｅ  第一接点、２２ｆ  ベアリング、２２ｇ  第二接点、２５ａ，２５ｂ  換気口、３  ケーブル、３２  変流器、３３  零相変流器、４  主母線、
５  真空バルブ駆動機構、６  第一絶縁端子、６１  第一端子接点、７  第二絶縁端子、７１  第二端子接点。
【図１】
0003216686.tif 000003
【図２】
0003216686.tif 000004
【図３】
0003216686.tif 000005
【図４】
0003216686.tif 000006